【事件の表示】
　平成　６年特許願第　６６１３４号「パチンコ機」拒絶査定不服審判事件〔平成　７年１０月２４日出願公開、特開平　７−２７５４９７〕について、次のとおり審決する。
【結　論】
　本件審判の請求は、成り立たない。
【理　由】
第１．手続の経緯　
　本願は、平成６年４月４日の出願であって、平成１７年１１月１１日付の拒絶理由通知に対して平成１８年１月１６日付で手続補正がなされ、これに対し、同年５月２日付で拒絶査定がなされ、これに対し、同年６月８日に拒絶査定不服の審判請求がなされるとともに同年７月６日付で手続補正がなされたものである。
　
　
第２．平成１８年７月６日付の手続補正についての補正却下の決定　
〔補正却下の決定の結論〕　
　平成１８年７月６日付の手続補正（以下、「本件補正」という。）を却下する。　
　
［理由］　
【１】本件補正の内容と補正の適否　
　本件補正により、特許請求の範囲の請求項１は、平成１８年１月１６日付手続補正により補正された特許請求の範囲の請求項１に記載された
「【請求項１】　搬送されてきたパチンコ球を一時的に蓄える球タンクと、二つの通路壁板を有して前記球タンクから排出されたパチンコ球を誘導するタンクレールとを備えたパチンコ機において、
　前記二つの通路壁板の間に設けられた収納部と、
　前記収納部と前記通路壁板の間であって、前記タンクレールの上流側における内部壁面に設けられた電気伝導体と、
　前記収納部の内部に収納され、かつ前記電気伝導体とアースとの間に接続されて前記リード線を流れる電流を低く抑える電子部品とを有することを特徴とするパチンコ機。」から、
　
「【請求項１】  搬送されてきたパチンコ球を一時的に蓄える球タンクと、該球タンクから排出されたパチンコ球を二つの通路壁板の間に形成される誘導通路で誘導するタンクレールと、を備えた基板を、裏面に取り付けたパチンコ機において、
　前記二つの通路壁板の間の前記誘導通路の上流端部に設けられた収納部と、
　該収納部と前記通路壁板の間であって、前記タンクレールの上流側における内部壁面に設けられた電気伝導体と、
　前記収納部の内部に収納され、かつ前記電気伝導体とアースとの間に接続されるリード線を流れる電流を低く抑える電子部品と、を有し、
　前記電子部品の一端から延びるリード線を前記電気伝導体に接続し、前記電子部品の他端から延びるリード線を前記基板の背面から見て裏面に導いて前記アースに接続することを特徴とするパチンコ機。」
へと補正された。　
　
　本件補正により特許請求の範囲の請求項１にした補正は、収納部が、「前記誘導通路の上流端部」にあることを限定することを含むものであるが、これは、発明特定事項の下位概念化に当たり、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否　
　第１引用例：　特開平４−１６４４７４号公報
　第２引用例：　特開昭６１−２９３７７号公報
　
［１］引用例に記載の発明・技術
（１）第１引用例に記載の発明
　原査定の拒絶に理由に引用された、平成４年６月１０日に頒布された刊行物である第１引用例（特開平４−１６４４７４号公報）には、以下の事項が図面とともに記載されている。
（ア）「第１図に示すように、１はパチンコ機の遊技盤、２は前面側からフレーム３内に遊技盤１を取付ける基盤（前面枠とも呼ぶ）、・・・である。」（第２頁左下欄１８行〜同頁右下欄２行）
（イ）「賞球排出装置１６は、遊技盤１の各入賞口への入賞により賞品球の排出を行うもので、第２図において基盤２のフレーム上部に賞品球を貯留する上タンク４０と、上タンク４０からの賞品球を導く誘導樋４１と、・・・が設けられる。」（第４頁右上欄１１〜２０行）
（ウ）「誘導樋４１の２条の通路５７ａ、５７ｂには、それぞれパチンコ球が接触する通路底面に金属板からなる導電性プレート５９ａ、５９ｂが貼付もしくは一体的に取付けられる。導電性プレート５９ａ、５９ｂは、図ではほぼ通路５７ａ、５７ｂの全長に渡って設けられているが、通路５７ａ、５７ｂの途中に所定の区間設けても良い。導電性プレート５９ａ、５９ｂは電気的に接続され、少なくとも一方のプレートの裏面に通路底面を貫通する端子部６０が形成される。そして、端子部６０に途中に抵抗器等の減衰器６１を設けた配線部材６２が嵌着、接続され、配線部材６２を介して導電性プレート５９ａ、５９ｂは後述する制御装置２００のケース２１６に接続される。」（第５頁左上欄２〜１５行）
（エ）「即ち、賞品球の貯留タンク４０に続く誘導樋４１の通路底面に導電性プレート５９ａ、５９ｂを設け、導電性プレート５９ａ、５９ｂを抵抗器等の減衰器６１を介して制御装置２００のケース２１６に接続し、かつケース２１６を基板２１５のグランドに接続したので、誘導樋４１をパチンコ球が流下する際に、静電気は導電性プレート５９ａ、５９ｂから減衰器６１に導かれてエネルギを減衰され、さらに制御装置２００のケース２１６、基板２１５のグランドを介して制御装置２００の主電源側から外部に放出されるのである。」（第１２頁右下欄１４行〜第１３頁左上欄４行）
（オ）第１図及び第２図には、「基板２」が、パチンコ機の裏面に取り付けられた点が記載されている。
（カ）第６図（Ａ）〜（Ｃ）及び第７図には、「誘導樋４１」の「通路５７ａ、５７ｂ」が、二つの通路壁板の間に形成された点が記載されている。
　
　上記（ア）〜（カ）の記載によれば、第１引用例には、以下の発明（以下、「引用発明」という。）が図面とともに記載されていると認められる。
「賞品球を貯留する上タンク４０と、該上タンク４０からの賞品球を二つの通路壁板の間に形成される通路５７ａ、５７ｂで導く誘導樋４１と、を備えた基盤２を、裏面に取り付けたパチンコ機において、前記誘導樋４１の通路５７ａ、５７ｂの通路底面の全長若しくは所定の区間に設けられた導電性プレート５９ａ、５９ｂと、を有し、前記導電性プレート５９ａ、５９ｂと、基板２１５のグランドに接続されるケース２１６との間に接続される配線部材６２の途中に、抵抗器等の減衰器６１を設けたパチンコ機。」
　
（２）第２引用例に記載の技術
　原査定の拒絶に理由に引用された、昭和６１年２月１０日に頒布された刊行物である第２引用例（特開昭６１−２９３７７号公報）には、以下の事項が図面とともに記載されている。
（ア）「静電気を帯びた多量のパチンコ玉から静電気を除去するために、パチンコ玉が溜まる場所、すなわち玉タンク１６の壁面および垂直通路２０４の壁面に、それぞれ導電性部材である鉄板３１・・・が取付けられている。そして、鉄板３１にはリード線３２の一端が接続され、このリード線３２の他端は木ねじ３３を介して外枠１１に接続されている。・・・上面が開放された長方形筐体の玉タンク１６の背面側後方内側面１６１の左右両端には、孔１６２、１６３および１６４があけられている。鉄板３１は、横方向に延びる長手状の部材で、その両端が後方にほぼ９０°に曲成されていて、この曲成端部３１２、３１３および３１４が、それぞれ孔１６２、１６３および１６４に挿入して、鉄板３１が取付けられ、・・・固定される。」（第４頁左上欄６行〜同頁右上欄１０行）
（イ）第３図には、リード線３２の一端が、導電性部材である鉄板３１を挟んで、玉タンク１６の壁面に取り付けられる点が記載されている。
　　
　
［２］本願補正発明について
（１）本願補正発明と引用発明との対比　
（ア）本願補正発明と引用発明とを対比すると、
　引用発明の「賞品球を貯留する上タンク４０」は、本願補正発明の「搬送されてきたパチンコ球を一時的に蓄える球タンク」に相当し、以下同様に、
　「上タンク４０からの賞品球を導く誘導樋４１」は、「球タンクから排出されたパチンコ球を誘導するタンクレール」に、
　「通路５７ａ、５７ｂ」は、「誘導通路」に、
　「基盤２」は、「基板」に、
　「導電性プレート５９ａ、５９ｂ」は、「電気伝導体」に、
　「配線部材６２」は、「リード線」に、
　「基板２１５のグランド」に接続される「ケース２１６」は、「アース」に、
　「抵抗器等の減衰器６１」は、「リード線を流れる電流を低く抑える電子部品」に、それぞれ相当する。
（イ）引用発明の「導電性プレート５９ａ、５９ｂ（電気伝導体）」は、「誘導樋４１（タンクレール）の通路５７ａ、５７ｂ（誘導通路）の通路底面の全長若しくは所定の区間に設けられた」ものであるから、本願補正発明の「電気伝導体」が、「タンクレールの上流側における内部壁面に設けられ」ていることとは、「電気伝導体」が、「タンクレールの上流側における内部面に設けられて」いる点で共通する。
（ウ）引用発明において、「導電性プレート５９ａ、５９ｂ（電気伝導体）と、基板２１５のグランドに接続されるケース２１６（アース）との間に接続される配線部材６２（リード線）の途中に、抵抗器等の減衰器６１（リード線を流れる電流を低く抑える電子部品）を設けた」ことは、本願補正発明において、「（前記）電気伝導体とアースとの間に接続されるリード線を流れる電流を低く抑える電子部品」が、その「一端から延びるリード線を前記電気伝導体に接続」し、その「他端から延びるリード線を前記アースに接続し」たことに対応する。
　
　そうすると、本願補正発明と引用発明とは、
「搬送されてきたパチンコ球を一時的に蓄える球タンクと、該球タンクから排出されたパチンコ球を二つの通路壁板の間に形成される誘導通路で誘導するタンクレールと、を備えた基板を、裏面に取り付けたパチンコ機において、前記タンクレールの上流側における内部面に設けられた電気伝導体と、前記電気伝導体とアースとの間に接続されるリード線を流れる電流を低く抑える電子部品と、を有し、前記電子部品の一端から延びるリード線を前記電気伝導体に接続し、前記電子部品の他端から延びるリード線を前記アースに接続したパチンコ機。」の点で一致し、以下の点で相違する。
　
　相違点Ａ．本願補正発明においては、電気伝導体を設けた位置が、「（該）収納部と（前記）通路壁板の間であって、（前記）タンクレールの上流側における内部壁面」であり、（電流を低く抑える）電子部品を、「二つの通路壁板の間の前記誘導通路の上流端部に設けられた収納部」の「内部」に収納した構成を備えているのに対し、引用発明は、電気伝導体を設けた位置が、「タンクレールの上流側における内部面」であって、電子部品の収納について明示していない点。
　相違点Ｂ．本願補正発明は、アースに接続するリード線を、「（前記）基板の背面から見て裏面に導」く構成を備えているのに対し、引用発明では前記構成について明らかでない点。
　
（２）相違点Ａについての判断　
　第２引用例（特開昭６１−２９３７７号公報）には、上記【２】［１］（２）（ア）に摘示した記載によれば、パチンコ玉の静電気を除去するための導電性部材である鉄板３１（本願補正発明における「電気伝導体」に相当する。）を、パチンコ玉が溜まる場所の壁面に設けた点が記載されており、また、同じく（イ）に示したように、リード線３２の一端が鉄板３１を挟んで玉タンク１６の壁面に取り付けられていること、言い換えれば、パチンコ玉が溜まる場所の壁面とリード線との間に電気伝導体を設けた技術が記載されている。
　また、電子部品の破損を防止するために、電子部品を内部に収納するようにカバー状の収納部を設けることは、例えば、実願昭６０−１３６３２５号（実開昭６１−１０９５８７号）のマイクロフィルム（第１３頁６〜１３行等）、特開平３−１５４８６号公報（第２頁右上欄８〜１３行等）、特開平３−５５０８２号公報（第５頁右下欄１８行〜第６頁左上欄第２行等）等に記載されるように、従来周知の技術事項（以下、「周知技術Ａ」という。）である。
　引用発明は、「電子部品の一端から延びるリード線を（前記）電気伝導体に接続し、前記電子部品の他端から延びるリード線を（前記）アースに接続した」構成を備えたものであるが、上記第２引用例に記載された技術を適用して、電気伝導体をパチンコ玉が溜まる場所の「壁面」に設けた上で、前記パチンコ玉が溜まる場所の壁面から前記電気伝導体を間にしてリード線を設けること、及び、前記の技術を適用する際に、引用発明が構成として備える電子部品については、これがリード線に連なるものであるのだから、リード線同様に、前記電気伝導体を間にした壁面（壁体）間に位置させて、上記周知技術Ａの如くのカバーとしての「収納部」に収納させることは、当業者であれば想到容易である。
　
（３）相違点Ｂについての判断
　パチンコ機に設けるリード線の配置をいかなるものとするかについては、スペース上の制約、作業性、破損・不正防止等の観点から総合的に判断して、当業者が適宜設計する事項に過ぎないが、本願補正発明の如く、背面から見て裏面に導くようにすることは、例えば、特開平４−２８５５７６号公報（段落【００１３】等）、特開平５−３３７２４０号公報（段落【００２７】等）に記載されたもののように、従来周知の技術事項（以下、「周知技術Ｂ」という。）であるから、引用発明に前記周知技術Ｂを適用して、相違点Ｂに係る本願補正発明の構成とすることは、当業者であれば想到容易である。
　
（４）本願補正発明の作用効果の検討　
　本願補正発明の作用効果は、上記引用発明、上記第２引用例に記載の技術及び上記周知技術Ａ並びにＢに基づいて当業者が当然予測できるものである。　
　　
（５）むすび　
　よって、本件補正後の請求項１に記載された本願補正発明は、上記引用発明、上記第２引用例に記載の技術及び上記周知技術Ａ並びにＢに基づいて当業者が容易に発明をすることができたものであり、特許法第２９条第２項の規定により、その特許出願の際に独立して特許を受けることができない。　
　
　
［３］補正の却下の決定のむすび
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１８年７月６日付の手続補正が上記のとおり却下されているので、平成１８年１月１６日付の手続補正により補正された明細書及び図面の記載からみて、その特許請求の範囲の請求項１に記載された事項により特定される以下のとおりのものである（以下、「本願発明」という。）。　
「【請求項１】　搬送されてきたパチンコ球を一時的に蓄える球タンクと、二つの通路壁板を有して前記球タンクから排出されたパチンコ球を誘導するタンクレールとを備えたパチンコ機において、
　前記二つの通路壁板の間に設けられた収納部と、
　前記収納部と前記通路壁板の間であって、前記タンクレールの上流側における内部壁面に設けられた電気伝導体と、
　前記収納部の内部に収納され、かつ前記電気伝導体とアースとの間に接続されて前記リード線を流れる電流を低く抑える電子部品とを有することを特徴とするパチンコ機。」 
　
　　
【２】特許法第２９条２項の適用
［１］引用例に記載の発明・技術　
　原査定の拒絶の理由に引用された第１引用例（特開平４−１６４４７４号公報）に記載の発明及び第２引用例（特開昭６１−２９３７７号公報）に記載の技術は、上記第２．【２】［１］に記載したとおりである。
　
　
［２］対比・判断
　本願発明は、本願補正発明において、収納部が、「前記誘導通路の上流端部」にあることを限定し、その他、タンクレールでパチンコ玉を誘導するのが、「二つの通路壁板」であることを限定し、球タンクとタンクレールが備わるのが、パチンコ機の「裏面」に「取り付け」た「基板」であることを限定し、アースとの間に接続されるリード線が、「前記基板の背面から見て裏面に導」かれるものであることに限定し、さらに、「前記電気伝導体とアースとの間に接続されて前記リード線を流れる電流を低く抑える電子部品」を、「前記電子部品の一端から延びるリード線を前記電気伝導体に接続し、前記電子部品の他端から延びるリード線を前記アースに接続する」と言い換えて付加した事項を省いたものである。
　そうすると、本願発明の構成要素を全て含むものに相当する本願補正発明が、上記第２．【２】［２］に説示したように、引用発明、第２引用例に記載の技術及び周知技術Ａ並びにＢに基づいて、当業者が容易に発明をすることができたものであるから、本願発明は、同様の理由により、引用発明、第２引用例に記載の技術及び周知技術Ａ並びにＢに基づいて、当業者が容易に発明をすることができたものである。
　
　
［３］むすび　
　以上のとおり、本願発明は、引用発明（第１引用例に記載の発明）及び第２引用例に記載の技術並びに周知技術（周知技術Ａ並びにＢ）に基づいて、当業者が容易に発明をすることができたものであるから、特許法第２９条第２項の規定により特許を受けることができない。　
　したがって、本願は拒絶すべきものである。　
　
　よって、結論のとおり審決する。